(57)【特許請求の範囲】
【請求項１】
鋼管矢板の外側に継手材が取り付けられ、一方の鋼管矢板の継手材と他方の鋼管矢板の継手材とが嵌め合わされて連結される鋼管矢板壁の継手構造であって、
前記一方の継手材には遮水板が取り付けられ、
前記遮水板は、前記一方の継手材の管軸方向に沿って取り付けられる取付部と、その取付部に連続して形成されるとともに弾性変形する弾性変形部と、前記他方の継手材を嵌合するための隙間を広げるガイドにするために前記弾性変形部の先端側を前記一方の継手材から離れる方向に屈曲させたガイド部とを備え、
嵌め合わされた際には、前記遮水板が弾性変形して、前記他方の継手材に当接することを特徴とする鋼管矢板壁の継手構造。
【請求項２】
前記遮水板の前記弾性変形部には、前記他方の継手材に当接する側面に、不陸吸収材が設けられることを特徴とする請求項１に記載の鋼管矢板壁の継手構造。
【請求項３】
前記遮水板は、前記一方の継手材の天端から水底までの範囲に取り付けられることを特徴とする請求項１又は請求項２に記載の鋼管矢板壁の継手構造。
【請求項４】
前記継手材は、軸方向に沿ってスリットを有する円筒状の鋼管によって形成されるとともに、前記遮水板は、外水域側にスリットを有する一方の継手材の外水域側の側面に取り付けられて、
嵌め合わされた際には、前記遮水板が、前記一方の継手材の前記スリットと前記他方の継手材との間隙を塞ぐことを特徴とする請求項１乃至請求項３のいずれか一項に記載の鋼管矢板壁の継手構造。
【請求項５】
前記継手材は、軸方向に沿ってスリットを有する円筒状の鋼管によって形成されるとともに、前記遮水板は、内水域側にスリットを有する一方の継手材の外水域側の側面に取り付けられて、
嵌め合わされた際には、前記遮水板が、前記他方の継手材のスリットと前記一方の継手材との間隙を塞ぐことを特徴とする請求項１乃至請求項３のいずれか一項に記載の鋼管矢板壁の継手構造。
【発明の詳細な説明】
【技術分野】
【０００１】
本発明は、鋼管矢板壁の継手構造に関するものである。
【背景技術】
【０００２】
従来、鋼管矢板壁を構築する際に、鋼管矢板の止水処理として、それぞれの鋼管矢板を建て込んだ後に、鋼管矢板の継手材間の隙間に、グラウト材を充填することで止水処理が行われている。
【０００３】
この従来の止水処理では、グラウト材を充填するまでは隙間を止水していないため、工事に伴って生じた油分などを含んだ濁水が、鋼管矢板壁で仕切られた内水域側から外水域側へ流出することが問題となる。
【０００４】
この問題を解決するために、従来は、鋼管矢板壁の外水域側にオイルフェンスを設けて濁水を遮断することや、流出した油分などを吸着マットによって回収することで外水域の汚染を防止していた。
【０００５】
一方、止水処理のために隙間にグラウト材を充填する際に、継手管内から外水域に濁水が流出することも問題となるが、特許文献１では、継手管のスリットに沿って生じる隙間を閉鎖する止水板を設けることで、濁水が隙間を通じて流出することを防止している。
【特許文献１】特開２００２−１０５９５０号公報
【発明の開示】
【発明が解決しようとする課題】
【０００６】
しかしながら、従来のようにオイルフェンスや吸着マットを用いる方法では、作業に手間が係る上、常に監視しておく必要があるという問題があった。
【０００７】
また、前記した特許文献１の止水板を用いる方法では、止水板と継手材とを当接させるために、鋼管矢板を設置する際に高い設置精度が要求され、鋼管矢板を水上で建て込む場合などには止水板が継手材に当接しなくなる可能性があった。
【０００８】
そこで、本発明は、簡単な構造によって、確実に遮水できる鋼管矢板壁の継手構造を提供することを目的としている。
【課題を解決するための手段】
【０００９】
前記目的を達成するために、本発明の鋼管矢板壁の継手構造は、鋼管矢板の外側に継手材が取り付けられ、一方の鋼管矢板の継手材と他方の鋼管矢板の継手材とが嵌め合わされて連結される鋼管矢板壁の継手構造であって、前記一方の継手材には遮水板が取り付けられ、嵌め合わされた際には、前記遮水板が弾性変形して、前記他方の継手材に当接することを特徴とする。
【００１０】
また、前記遮水板は、前記一方の継手材の管軸方向に沿って取り付けられる取付部と、その取付部に連続して形成されるとともに弾性変形する弾性変形部と、前記他方の継手材を嵌合するための隙間を広げるガイドにするために前記弾性変形部の先端側を前記一方の継手材から離れる方向に屈曲させたガイド部と、を備えることができる。
【００１１】
さらに、前記遮水板の前記弾性変形部には、前記他方の継手材に当接する側面に、不陸吸収材を設けることもできる。
【００１２】
そして、前記遮水板は、前記一方の継手材の天端から水底までの範囲に取り付けられることができる。
【００１３】
また、前記継手材は軸方向に沿ってスリットを有する円筒状の鋼管によって形成されるとともに、前記遮水板は外水域側にスリットを有する一方の継手材の外水域側の側面に取り付けられて、嵌め合わされた際には、前記一方の継手材の前記スリットと前記他方の継手材との間隙を塞ぐことができる。
【００１４】
さらに、前記継手材は、軸方向に沿ってスリットを有する円筒状の鋼管によって形成されるとともに、前記遮水板は、内水域側にスリットを有する一方の継手材の外水域側の側面に取り付けられて、嵌め合わされた際には、前記他方の継手材のスリットと前記一方の継手材との間隙を塞ぐこともできる。
【００１５】
ここにおいて、遮水とは、内水域側と外水域側とを完全に止水する場合と、完全には止水できないが濁水の流出を抑制する場合と、の両方を含む概念をいうものとする。
【発明の効果】
【００１６】
このように構成された本発明の鋼管矢板壁の継手構造は、一方の継手材に遮水板が取り付けられ、嵌め合わされた際には、この遮水板が弾性変形して他方の継手材に当接する。
【００１７】
したがって、鋼管矢板を建て込む際に設置誤差が生じた場合でも、遮水板の弾性変形の範囲内であれば、遮水板と継手材とが確実に当接することになるため、確実に遮水することができる。
【００１８】
また、取付部と、弾性変形部と、ガイド部と、を備えることで、あらかじめ遮水板を設置した状態で鋼管矢板を建て込むことができるため、迅速に遮水することができる上、水上作業を減らすことができる。
【００１９】
さらに、遮水板の弾性変形部に不陸吸収材を設けることで、より確実に遮水することができる。
【００２０】
そして、遮水板を継手材の天端から水底までの範囲に取り付けることによって、鋼管矢板を建て込む際に支障になることなく遮水することができる。
【００２１】
また、スリットを有する円筒状の鋼管によって継手材が形成されるとともに、遮水板が外水域側にスリットを有する一方の継手材の外水域側の側面に取り付けられ、一方の継手材のスリットと他方の継手材との間隙を塞ぐことで、継手材の外水域側で遮水することができるため、グラウト材を充填する際にも濁水の流出を抑制することができる。
【００２２】
同様に、スリットを有する円筒状の鋼管によって継手材が形成されるとともに、遮水板がない水域側にスリットを有する一方の継手材の外水域側の側面に取り付けられ、他方の継手材のスリットと一方の継手材との間隙を塞ぐことで、継手材の外水域側で遮水することができるため、グラウト材を充填する際にも濁水の流出を抑制することができる。
【発明を実施するための最良の形態】
【００２３】
以下、本発明の最良の実施の形態について図面を参照して説明する。まず、図２に示した全体構成を説明する斜視図を用いて、本実施の形態の継手構造Ｓを備える鋼管矢板壁１の全体構成について説明する。
【００２４】
一般に、鋼管矢板壁１は、護岸、防波堤、橋梁基礎、又は土留めなどに利用されるもので、近年の構造物の大型化や大水深化に伴って、広く用いられるようになっている。
【００２５】
この鋼管矢板壁１を用いる場合の利点としては、壁体が鋼管によって形成されるために極めて剛性が大きいことや、最適な断面性能を備える鋼管を用いることで合理的な設計が可能であることや、仮締め切りと本体とを兼用できることなどがあげられる。
【００２６】
本実施の形態の鋼管矢板壁１は、図２に示すように、複数の鋼管矢板２，・・・を直線状に連結することで、鋼管矢板壁１に囲まれた内水域６２と外水域６３とを仕切るように形成される。
【００２７】
なお、以下では、説明の便宜上、一方の鋼管矢板２と他方の鋼管矢板３とを区別しているが、両者は同一の構成を有するものである。
【００２８】
この鋼管矢板２は、鋼によって、外径が５００ｍｍから３０００ｍｍ程度で、板厚が６ｍｍから３０ｍｍ程度の円筒状に形成されるもので、下部は地盤中に貫入されているとともに、上部は水中に露出しており、最上端は水面上まで達している。
【００２９】
また、この鋼管矢板２には、図２に示すように、直径両端の対峙する位置に、継手材としての継手管２１と継手材としての継手管３１とがそれぞれ１つずつ取り付けられている。
【００３０】
この継手管２１は、図４（ａ）に示すように、金属によって長尺の円筒状に形成されるもので、外側面が管軸方向に沿って溶接２２によって鋼管矢板２に固定されており、外水域６３に向いた側面２１２の一箇所に管軸方向に沿ってスリット２１１が設けられている。
【００３１】
このスリット２１１は、継手管２１の外水域６３側の側面２１２に設けられるもので、対となる継手管３１を嵌め合わすことができるように、継手管３１の板厚よりも広い幅を有するように形成される。
【００３２】
同様に、継手管３１は、図４（ｂ）に示すように、金属によって円筒状に形成されるもので、側面の一箇所が管軸方向に沿って溶接３２によって鋼管矢板３に固定されており、内水域６２に向いた側面３１２の一箇所にスリット３１１が設けられている。
【００３３】
このスリット３１１は、継手管３１の内水域６２側の側面３１２に設けられるもので、対となる継手管２１を嵌め合わすことができるように、継手管２１の板厚よりも広い幅を有するように形成される。
【００３４】
したがって、継手管２１と継手管３１とは、円筒状の鋼管矢板２の管軸を回転軸として１８０度回転すると、互いに重なり合うように構成されている。
【００３５】
さらに、この鋼管矢板２と鋼管矢板３とが連結された状態では、一方の鋼管矢板２の継手管２１は他方の鋼管矢板３の継手管３１に形成されたスリット３１１に嵌められ、他方の鋼管矢板３の継手管３１は一方の鋼管矢板２の継手管２１に形成されたスリット２１１に嵌められて、互いに離れないように嵌合される。
【００３６】
そして、本実施の形態の鋼管矢板壁１は、図３に示すように、一方の鋼管矢板２の継手管２１の側面２１２の管軸方向に沿って遮水板としての遮水鋼板４が取り付けられ、この遮水鋼板４が他方の鋼管矢板３の継手管３１の側面に当接して継手構造Ｓを形成している。
【００３７】
この遮水鋼板４は、鋼などの金属によって、継手管２１の天端２３から水底６１までの長さを有する長尺板状に形成され、一方の鋼管矢板２の継手管２１の外水域６３に向いた側面２１２に取り付けられるものであり、取付部４１と、弾性変形部４２と、ガイド部４３と、を一体に備えている。
【００３８】
この取付部４１は、長尺板状の遮水鋼板４を長さ方向に沿って折り曲げることで形成されるもので、長尺板状の抑え板５１を介してボルト５２，・・・などによって継手管２１の側面２１２に固定されている。
【００３９】
なお、取付部４１を継手管２１の側面２１２に固定する方法としては、ボルト５２，・・・の他に、溶接であってもよい。
【００４０】
また、弾性変形部４２は、取付部４１に連続して形成されるもので、図４（ａ）に示すように、嵌合される前の状態では継手管２１の側面に添うような平面状であり、他方の継手管３１が設置される予定位置と重なっているため、図４（ｂ）に示すように、嵌合された後の状態では円弧状に湾曲して他方の継手管３１の側面に当接している。
【００４１】
すなわち、図５（ａ）の部分拡大図に示すように、嵌合された状態では、弾性変形部４２は、継手管３１が嵌め合わされることによって、強制的に継手管３１の外方向に屈曲されるため、この継手管３１の側面から反力を受けて、継手管３１側が凸となる円弧状に湾曲している。
【００４２】
逆に、弾性変形部４２は、屈曲されて弾性変形することで、この継手管３１に弾性反力を及ぼすため、弾性変形部４２と継手管３１とは、この弾性反力によって押し付け合って当接している。
【００４３】
なお、ここにおいて弾性変形とは、遮水板としての遮水鋼板４が嵌め合わされて変形した場合に、元の形に戻ろうとする力を備える範囲の変形をいうものとし、完全に元の形に戻る場合と、完全には元の形に戻らないがほぼ元の形に戻る場合と、を含む概念である。
【００４４】
さらに、この弾性変形部４２の他方の継手管３１に当接する側面４２１には、不陸吸収材として全面に所定量の水膨張性樹脂５３が塗布されている。
【００４５】
この水膨張性樹脂５３は、水と接触すると１，２時間で膨張し始める剛性樹脂を成分とし、硬化した後には弾性のある塗膜を形成するもので、例えば、日本化学塗料株式会社のパイルロック（特許第１９６０２２３号）を用いることができる。
【００４６】
板状のゴムの場合とＹ字形のゴムの場合の実施例については、後述の実施例３として追加しました。
【００４７】
そして、図５（ａ）に示すように、この弾性変形部４２が水膨張性樹脂５３を介して他方の継手管３１に当接することで、一方の継手管２１のスリット２１１に他方の継手管３１が嵌合して形成される間隙２１１ａの外水域６３側を遮水できるように塞いでいる。
【００４８】
さらに、ガイド部４３は、図４（ａ）に示すように、弾性変形部４２の先端側を継手管２１から離れる方向に屈曲することで、継手管２１に向いた側が鈍角となるように形成される。
【００４９】
したがって、図４（ａ）に示すように、嵌合される前の状態では、このガイド部４３と継手管２１の側面との間に、三角形状のガイド空間６４を形成している。
【００５０】
そして、遮水鋼板４は、図３に示すように、下縁を斜めにカットされたカット部４４を備えている。
【００５１】
このカット部４４は、遮水板としての遮水鋼板４の下縁において、弾性変形部４２を取付部４１に関する付け根から、上方に向かって斜めに切り落として形成される。
【００５２】
次に、本実施の形態の継手構造Ｓを備える鋼管矢板壁１の構築方法について、図４，５を用いて説明する。
【００５３】
まず、あらかじめ遮水鋼板４を別工程で作成しておき、弾性変形部４２の他方の継手管３１に当接する側の側面４２１の全面に、水膨張性樹脂５３を定められた量だけ塗布し、養生して乾燥させる。
【００５４】
さらに、作業ヤードに横置きした鋼管矢板２の継手管２１の側面にガス切断機などによって複数の取付孔を削孔しておく。
【００５５】
次に、上記した水膨張性樹脂５３が乾燥した後に、図４（ａ）に示すように、抑え板５１を介して、遮水鋼板４をボルト５２，・・・によって、取付孔を設けた継手管２１に取り付ける。
【００５６】
そして、図４（ｂ）に示すように、先行して建て込まれた他方の鋼管矢板３の継手管３１に、後行して建て込まれる一方の鋼管矢板２の継手管２１を嵌め合わせるように、後行する一方の鋼管矢板２をバイブロハンマーなどによって地中に建て込んでいく。
【００５７】
この際、まず、他方の継手管３１の上縁に、上方から一方の継手管２１の下縁を嵌め合わすが、この一方の継手管２１に取り付けられた遮水鋼板４の下縁が、他方の継手管３１の外側面に当接するように、遮水鋼板４の下縁を他方の継手管３１から遠ざかる方向に弾性変形させて押し広げる。
【００５８】
ここにおいて、遮水鋼板４は下縁にカット部４４を備えているため、押し広げる際の弾性反力が最小限になる。
【００５９】
このように、遮水鋼板４の下縁のみを押し広げてやることで、ガイド空間６４が、嵌合のための隙間を広げるガイドとなって、一方の継手管２１の遮水鋼板４の全長に渡って他方の継手管３１に当接させることができる。
【００６０】
そして、水中に建て込まれることで水と接触した水膨張性樹脂５３は、時間の経過とともに、図５（ａ）から図５（ｂ）に示すように、重量膨張倍率で６倍程度、厚さにして２倍程度膨らむことで、弾性変形部４２と他方の継手管３１の側面との接触面積を増大させる。
【００６１】
上記のようにして、それぞれの鋼管矢板２，・・・を順次建て込んでいくことで、鋼管矢板壁１が完成する。
【００６２】
次に、本実施の形態の継手構造Ｓの作用について説明する。
【００６３】
このように構成された本発明の継手構造Ｓは、一方の継手管２１に遮水鋼板４が取り付けられ、嵌め合わされた際には、この遮水鋼板４が弾性変形して他方の継手管３１に当接する。
【００６４】
したがって、鋼管矢板２を建て込む際に設置誤差が生じた場合でも、遮水鋼板４の弾性変形部４２の弾性変形の範囲内であれば、一方の継手管２１に取り付けられた遮水鋼板４と他方の継手管３１とが確実に当接することになるため、確実に遮水することができる。
【００６５】
すなわち、一般に、鋼管矢板２の打設作業は水上作業となることが多く、誤差をミリ精度以下に抑えることは極めて困難であり、通常は台船の動揺などによる設置誤差が生じるが、この場合でも、遮水鋼板４の弾性変形部４２がこの設置誤差より大きい弾性変形量を備えていれば、この弾性変形部４２と他方の鋼管矢板３１とは確実に当接することができる。
【００６６】
そして、上記のように弾性変形部４２が弾性変形することで、遮水鋼板４と他方の継手管３１とが弾性反力によって押し付け合うことになるため、より強固に隙間を遮水することができる上、鋼管矢板２が設置後に外力などを受けて変形した場合にもこの変形に追従して変形するため、より確実に遮水することができる。
【００６７】
つまり、鋼管矢板２は、河川においては流れによって、海洋においては潮流や潮汐などによって外力を受けて、変形することとなるが、この場合でも、遮水鋼板４が変形に追従することで隙間が生じることはない。
【００６８】
さらに、本実施の形態の遮水鋼板４は、鋼製であって耐久性がきわめて大きいため、仮締切りなどに利用する場合などには、少なくとも数回程度の再利用が可能である。
【００６９】
加えて、鋼管矢板２を建て込む際に、遮水鋼板４が他方の継手管３１と接触した場合でも、遮水鋼板４が鋼製であれば損傷することがないため、遮水が不完全になることはない。
【００７０】
そして、本実施の形態の遮水鋼板４のガイド部４３は、一方の継手管２１との間にガイド空間６４を形成するため、他方の継手管３１を嵌め合わす際に、嵌合するための隙間を広げるガイドとなる上に、遮水鋼板４の先端が外を向くことで継手管３１に引っ掛かって継手管３１の表面を傷付けることを防止することができる。
【００７１】
また、遮水鋼板４が取付部４１を備えることで、あらかじめ遮水鋼板４を陸上で設置した状態で鋼管矢板２を建て込むことができるため、建て込み後すぐに遮水することができる上、水上作業を減らすことができる。
【００７２】
このように、一般に足場の悪い中での作業となって転落などの危険が大きい水上作業を減らすことで、工事の安全を高めることができる。
【００７３】
加えて、あらかじめ、別工程によって鋼管矢板２の継手管２１に遮水鋼板４を取り付けることで、遮水のために全体工程を遅らせることなく、工期を短縮することができる。
【００７４】
このように、工期を短縮することは、そもそも工期短縮を目的として鋼管矢板壁１を用いるような場合には、きわめて効果が大きいといえる。
【００７５】
さらに、遮水鋼板４の弾性変形部４２に不陸吸収材としての水膨張性樹脂５３を塗布することで、この水膨張性樹脂５３が膨張して継手管３１との接触面積を広くするため、より確実に遮水することができる。
【００７６】
加えて、水膨張性樹脂５３が膨らむことで、弾性変形量が大きくなることによって弾性反力が大きくなるため、弾性変形部４２と継手管３１とがより強く押し付け合うこととなり、より強固に遮水できる。
【００７７】
また、剛性の大きい遮水鋼板４と、剛性の小さい不陸吸収材としての水膨張性樹脂５３とを組み合わせて用いることで、鋼管矢板２の建て込みの際に必要な剛性を確保しつつ、遮水鋼板４と継手管３１との密着性を高めることができる。
【００７８】
そして、遮水鋼板４を継手管３１の天端３３から水底６１までの範囲に取り付けることによって、鋼管矢板２を建て込む際に支障になることなく遮水することができる。
【００７９】
つまり、仮に、遮水鋼板４が水底６１の位置より下方まで取り付けられる場合には、遮水鋼板４の断面積の分だけ鋼管矢板２を地中に建て込む際の抵抗面積が広くなるため、建て込む際の支障となるが、水底６１の位置以下に遮水鋼板４が取り付けられなければ、支障となることはない。
【００８０】
また、スリット２１１，３１１を有する円筒状の鋼管によって継手管２１，３１が形成されるとともに、遮水鋼板４が外水域６３側にスリット２１１を有する一方の継手管２１の外水域６３側の側面２１２に取り付けられ、一方の継手管２１のスリット２１１と他方の継手管３１との間隙２１１ａを塞ぐことで、継手管２１，３１の外水域６３側で遮水することができるため、グラウト材を充填する際にも濁水を遮水できる。
【００８１】
すなわち、図４（ｂ）に示すように、継手管２１と継手管３１とが嵌合した場合には、４箇所に間隙２１１ａ，２１１ｂ，３１１ａ，３１１ｂが形成されることとなるが、このうちで最も外水域６３側の間隙２１１ａを遮水することによって、内水域６２で発生する濁水の流出の抑制又は止水が可能となる。
【００８２】
つまり、仮に、内水域６２側の間隙３１１ａを遮水した場合、継手管２１，３１の内側にグラウト材を充填する際に、管内を洗浄した濁水が外水域６３に流出することとなるが、最も外水域６３側の間隙２１１ａを遮水すれば外水域６３側への濁水の流出の抑制又は止水が可能となる。
【００８３】
そして、本実施の形態の鋼管矢板壁１は、上記したきわめて簡単な構成の継手構造Ｓを備えることで、工事によって発生する油分などを含んだ濁水が流出することを抑制できる。
【実施例１】
【００８４】
次に、図６を用いて、前記実施の形態とは別の継手構造Ｓ１を備えた、鋼管矢板壁１について説明する。なお、前記実施の形態で説明した内容と同一乃至均等な部分の説明については同一符号を付して説明する。
【００８５】
この実施例では、前記実施の形態とは異なり、内水域６２側にスリット２１１を有する継手管２１に遮水板としての遮水鋼板４を取り付ける場合の継手構造Ｓ１について説明する。
【００８６】
まず、構成から説明すると、本実施例の継手構造Ｓ１は、図６に示すように、一方の鋼管矢板２の継手管２１の管軸方向に沿って遮水鋼板４が取り付けられ、この遮水鋼板４が他方の鋼管矢板３の継手管３１に当接して継手構造Ｓ１を形成している。
【００８７】
この継手管２１は、図６（ａ）に示すように、金属によって円筒状に形成されるもので、外側面が管軸方向に沿って溶接２２によって鋼管矢板２に固定されており、内水域６２に向いた側面２１２の一箇所に管軸方向に沿ってスリット２１１が設けられている。
【００８８】
このスリット２１１は、継手管２１の内水域６２側の側面２１２に設けられるもので、対となる継手管３１を嵌め合わすことができるように、継手管３１の板厚よりも広い幅を有するように形成される。
【００８９】
同様に、継手管３１は、図６（ａ），（ｂ）に示すように、金属によって円筒状に形成されるもので、側面の一箇所が管軸方向に沿って溶接３２によって鋼管矢板３に固定されており、外水域６３に向いた側面３１２の一箇所にスリット３１１が設けられている。
【００９０】
このスリット３１１は、継手管３１の外水域６３側の側面３１２に設けられるもので、対となる継手管２１を嵌め合わすことができるように、継手管２１の板厚よりも広い幅を有するように形成される。
【００９１】
したがって、継手管２１と継手管３１とは、円筒状の鋼管矢板２の管軸を回転軸として１８０度回転すると、互いに重なり合うように構成されている。
【００９２】
そして、本実施例の継手構造Ｓ１では、一方の継手管２１の外水域６３側に向いた側面２１３に、取付部４１と弾性変形部４２とガイド部４３とを有する遮水鋼板４が取り付けられている。
【００９３】
次に、本実施例の継手構造Ｓ１の作用について説明する。
【００９４】
このように構成された本発明の継手構造Ｓ１は、一方の継手管２１に遮水鋼板４が取り付けられ、嵌め合わされた際には、この遮水鋼板４が弾性変形して他方の継手管３１に当接する。
【００９５】
したがって、鋼管矢板２を建て込む際に設置誤差が生じた場合でも、遮水鋼板４の弾性変形部４２の弾性変形の範囲内であれば、一方の継手管２１に取り付けられた遮水鋼板４と他方の継手管３１とが確実に当接することになるため、確実に遮水することができる。
【００９６】
そして、スリット２１１，３１１を有する円筒状の鋼管によって継手管２１，３１が形成されるともに、遮水鋼板４が内水域側にスリット２１１を有する一方の継手管２１の外水域６３側の側面２１３に取り付けられ、他方の継手管３１のスリット３１１と一方の継手間２１との間隙３１１ａを塞ぐことで、継手管２１，３１の外水域６３側で遮水することができるため、グラウト材を充填する際にも濁水が流出することがない。
【００９７】
すなわち、図６（ｂ）に示すように、継手管２１と継手管３１とが嵌合した場合には、４箇所に間隙２１１ａ，２１１ｂ，３１１ａ，３１１ｂが形成されることとなるが、このうちで最も外水域６３側の間隙３１１ａを遮水することによって、内水域６２で発生する濁水の流出の抑制又は止水が可能となる。
【００９８】
そして、前記実施の形態で示した継手構造Ｓと本実施例で示した継手構造Ｓ１の２通りの構造があることで、鋼管矢板２，・・・を建て込む際に、いずれの方向に建て込む場合でも、確実に遮水することができる。
【００９９】
つまり、鋼管矢板２，・・・を建て込む順番は、施工現場の状況によって外水域６３側にスリット２１１を備える継手管２１を先に打設する場合や、逆に、内水域６２側にスリット３１１を備える継手管３１を先に打設する場合があるが、この場合でも、継手構造Ｓと継手構造Ｓ１の２通りの構造があれば、臨機に対応可能である。
【０１００】
なお、この他の構成および作用効果については、前記実施の形態と略同様であるため説明を省略する。
【実施例２】
【０１０１】
次に、図７を用いて、前記実施の形態及び実施例とは別の継手構造Ｓ２，Ｓ３を備えた、鋼管矢板壁１について説明する。なお、前記実施の形態で説明した内容と同一乃至均等な部分の説明については同一符号を付して説明する。
【０１０２】
この実施例では、鋼管矢板壁１が前記実施の形態及び実施例１のように、いわゆるＰ−Ｐ型の継手について継手構造Ｓ，Ｓ１を備える場合ではなく、いわゆるＬ−Ｔ型の継手について継手構造Ｓ２を備える場合と、いわゆるＰ−Ｔ型の継手について継手構造Ｓ３を備える場合と、について説明する。
【０１０３】
図７（ａ）に示すように、本実施例の継手構造Ｓ２は、一方の継手材としての外水域６３側のＬ型鋼２１ａの他方の鋼管矢板３に向いた側面に管軸方向に沿って遮水板としての遮水鋼板４が取り付けられ、この遮水鋼板４が他方の継手材としてのＴ型鋼３１に当接して形成されている。
【０１０４】
この遮水鋼板４は、抑え板５１を介してボルト５２によってＬ型鋼２１ａに取り付けられる取付部４１と、Ｔ型鋼３１に当接して弾性変形する弾性変形部４２と、Ｔ型鋼３１に嵌め合わせる際のガイドとなるガイド部４３と、を備えている。
【０１０５】
そして、嵌め合わされた際には、この弾性変形部４２が弾性変形することで、遮水鋼板４とＴ形鋼３１とが押し付け合うため、確実に遮水することができる。
【０１０６】
また、図７（ｂ）に示すように、本実施例の継手構造Ｓ３は、一方の継手材としての継手管２１の他方の鋼管矢板３に向いた側面に管軸方向に沿って遮水板としての遮水鋼板４が取り付けられ、この遮水鋼板４が他方の継手材としてのＴ型鋼３１に当接して形成されている。
【０１０７】
この遮水鋼板４は、抑え板５１を介してボルト５２によって継手管２１に取り付けられる取付部４１と、Ｔ型鋼３１に当接して弾性変形する弾性変形部４２と、Ｔ型鋼３１に嵌め合わせる際のガイドとなるガイド部４３と、を備えている。
【０１０８】
そして、嵌め合わされた際には、この弾性変形部４２が弾性変形することで、遮水鋼板４とＴ形鋼３１とが押し付け合うため、確実に遮水することができる。
【０１０９】
なお、この他の構成および作用効果については、前記実施の形態と略同様であるため説明を省略する。
【実施例３】
【０１１０】
次に、図８を用いて、前記実施の形態及び実施例とは別の継手構造Ｓ４，Ｓ５を備えた、鋼管矢板壁１について説明する。なお、前記実施の形態で説明した内容と同一乃至均等な部分の説明については同一符号を付して説明する。
【０１１１】
この実施例では、鋼管矢板壁１が前記実施の形態及び実施例１，２のように、不陸吸収材として水膨張性樹脂５３を備える場合ではなく、不陸吸収材として板状樹脂５４又はＶ字状樹脂５５を備える場合について説明する。
【０１１２】
図８（ａ）に示すように、本実施例の継手構造Ｓ４は、一方の継手管２１の管軸方向に沿って遮水鋼板４が取り付けられ、この遮水鋼板４が他方の継手管３１に当接して継手構造Ｓ４を形成している。
【０１１３】
この遮水鋼板４は、取付部４１と、弾性変形部４２と、ガイド部４３と、を一体に備えている。
【０１１４】
そして、本実施例の継手構造Ｓ４は、弾性変形部４２の他方の継手管３１に当接する側の側面４２１に、不陸吸収材としての板状樹脂５４を備えている。
【０１１５】
この板状樹脂５４は、スポンジ状の樹脂や瀝青材やゴムなどによって所定の厚みを有する長尺板状に形成されるもので、弾性変形部４２の他方の継手管３１に当接する側の側面４２１に、接着剤などによって貼設されている。
【０１１６】
なお、この板状樹脂５４として、柔軟性の大きい材料を用いた場合には、鋼管矢板２を建て込む際に破損する可能性があるため、最下端近傍に防護部（図示せず）を備えることが望ましい。
【０１１７】
このように、板状樹脂５４を備えることによって、継手管２１と継手管３１とが嵌め合わされた際には、この弾性変形部４２が弾性変形することに加えて、板状樹脂５４が樹脂自体の柔軟性によって柔軟に変形することで、遮水鋼板４と継手管３１とが当接するため、確実に遮水することができる。
【０１１８】
つまり、遮水鋼板４はある程度の剛性を有しているため、継手管３１の側面に局所的に小石などが付着した場合には、この小石に接触する近傍のみが変形することができずに小石近傍に隙間が生じることとなるが、ある程度の柔軟性を有する板状樹脂５４を備えることで、この小石に接触する近傍のみが変形することができるため、隙間を生じることもなく遮水することができることとなる。
【０１１９】
同様に、図８（ｂ）に示すように、本実施例の継手構造Ｓ５は、弾性変形部４２の他方の継手管３１に当接する側の側面４２１に、不陸吸収材としてのＶ字状樹脂５５を備えている。
【０１２０】
このＶ字状樹脂５５は、ゴムなどによって略Ｖ字状の断面を有する長尺板状に形成されるもので、Ｖ字の一方の辺が弾性変形部４２の継手管３１に当接する側の側面４２１に接着剤などによって貼設されるとともに、Ｖ字の他方の辺が継手管３１の側面に当接している。
【０１２１】
このように、Ｖ字状樹脂５５を備えることによって、継手管２１と継手管３１とが嵌め合わされた際には、この弾性変形部４２が弾性変形することに加えて、Ｖ字状樹脂５５が樹脂自体の柔軟性とＶ字が押し潰される変形性とによって、遮水鋼板４と継手管３１とが当接するため、確実に遮水することができる。
【０１２２】
つまり、継手管３１の側面に局所的に小石などが付着した場合でも、ある程度の柔軟性を有するＶ字状樹脂５５を備えることで、小石に接触する近傍のみが変形して隙間を埋めるため、遮水することができる。
【０１２３】
加えて、継手管２１を継手管３１に嵌め合わす際には、Ｖ字が継手管２１側に向いて開いていることで、このＶ字状樹脂５５が引っ掛からずに、容易に嵌め合わすことができる。
【０１２４】
なお、この他の構成および作用効果については、前記実施の形態と略同様であるため説明を省略する。
【０１２５】
以上、図面を参照して、本発明の最良の実施の形態及び実施例１，２，３を詳述してきたが、具体的な構成は、この実施の形態及び実施例１，２，３に限らず、本発明の要旨を逸脱しない程度の設計的変更は、本発明に含まれる。
【０１２６】
例えば、前記実施の形態及び実施例１，２，３では、ガイド部４３を有する遮水鋼板４について説明したが、これに限定されるものではなく、ガイド部４３が設けられないものであってもよい。
【０１２７】
また、前記実施の形態及び実施例１，２，３では、弾性変形部４２の他方の継手管３１に当接する側の側面４２１に不陸吸収材を備える場合について説明したが、これに限定されるものではなく、不陸吸収材を備えないものであってもよい。
【０１２８】
さらに、前記実施の形態及び実施例１，２，３では、遮水鋼板４を継手管２１，３１の天端２３，３３から水底６１までの範囲に取り付ける場合について説明したが、これに限定されるものではなく、水底６１の位置以下まで取り付けて地中に貫入するものであってもよい。
【図面の簡単な説明】
【０１２９】
【図１】本発明の最良の実施の形態の鋼管矢板壁の継手構造の構成を説明する断面図である。
【図２】本発明の最良の実施の形態の鋼管矢板壁の継手構造を備える鋼管矢板壁の全体構成を説明する斜視図である。
【図３】本発明の最良の実施の形態の鋼管矢板壁の継手構造の構成を説明する斜視図である。
【図４】本発明の最良の実施の形態の鋼管矢板壁の継手構造の連結方法を説明する断面図である。（ａ）は連結前の状態、（ｂ）は連結後の状態である。
【図５】本発明の最良の実施の形態の鋼管矢板壁の継手構造が備える水膨張性樹脂の機能を説明するために、図４（ｂ）のＡ部を拡大して説明する部分拡大図である。（ａ）は膨張前の状態、（ｂ）は膨張後の状態である。
【図６】本発明の実施例１の鋼管矢板壁の継手構造の連結方法を説明する断面図である。（ａ）は連結前の状態、（ｂ）は連結後の状態である。
【図７】本発明の実施例２の鋼管矢板壁の継手構造を説明する断面図である。（ａ）はＬ−Ｔ型の継手の場合であり、（ｂ）はＰ−Ｔ型の継手の場合である。
【図８】本発明の実施例３の鋼管矢板壁の継手構造の不陸吸収材を説明する断面図である。（ａ）は板状樹脂の場合であり、（ｂ）はＶ字状樹脂の場合である。
【符号の説明】
【０１３０】
１              鋼管矢板壁
Ｓ，Ｓ１，Ｓ２，Ｓ３，Ｓ４，Ｓ５    継手構造（鋼管矢板壁の継手構造）
２，３          鋼管矢板
２１，３１      継手管（継手材）
２１１，３１１  スリット
２１１ａ，３１１ａ      間隙
２１２，２１３，３１２  側面
２３，３３      天端
４              遮水鋼板（遮水板）
４１            取付部
４２            弾性変形部
４２１          側面
４３            ガイド部
５３            水膨張性樹脂（不陸吸収材）
５４            板状樹脂（不陸吸収材）
５５            Ｖ字状樹脂（不陸吸収材）
６１            水底
６２            内水域
６３            外水域
【図１】
0004958654.tif 000002
【図２】
0004958654.tif 000003
【図３】
0004958654.tif 000004
【図４】
0004958654.tif 000005
【図５】
0004958654.tif 000006
【図６】
0004958654.tif 000007
【図７】
0004958654.tif 000008
【図８】
0004958654.tif 000009